(57)【特許請求の範囲】
【請求項１】
雨水を貯留する雨水貯留タンクが固定部材で設置面に固定される固定構造であって、
固定部材は、雨水貯留タンク後面部に当接し雨水貯留タンクを後面側から支持する背板部と背板部の下端部に設けられ設置面に固着具で固定される固定部とから構成される側面視略Ｌ字形状の第１支持部と、第１支持部の背板部から前方に延び前端部に立ち上がり部を形成し、雨水貯留タンクの底部を介して雨水貯留タンクの前面部を立ち上がり部で支持する側面視略Ｌ字形状の第２支持部とを備えており、
固定部材の第１支持部の背板部と第２支持部の立ち上がり部との間に雨水貯留タンクが配置されて保持されるとともに固定部材の第１支持部の固定部が固着具で設置面に固着されて、雨水貯留タンクが設置面に固定されることを特徴とする雨水貯留タンクの固定構造。
【請求項２】
雨水貯留タンクの後面部に凹溝が形成されており、固定部材の第１支持部には、背面部に、雨水貯留タンクの凹溝に嵌め込まれる突条が形成されており、固定部材の第１支持部の背板部と第２支持部の立ち上がり部との間に雨水貯留タンクを配置した際には、第１支持部の突条が雨水貯留タンクの凹溝に嵌め込まれて雨水貯留タンクが保持されることを特徴とする請求項１に記載の雨水貯留タンクの固定構造。
【請求項３】
雨水貯留タンクの前面部に凹溝が形成されており、固定部材の第２支持部には、立ち上がり部の先端に、雨水貯留タンクの凹溝に引っ掛かる係止部が形成されており、固定部材の第１支持部の背板部と第２支持部の立ち上がり部との間に雨水貯留タンクを配置した際には、第２支持部の係止部が雨水貯留タンクの凹溝に引っ掛けられて雨水貯留タンクが保持されることを特徴とする請求項１または２に記載の雨水貯留タンクの固定構造。
【請求項４】
雨水貯留タンクの後面部上部に紐状部材を連結する連結部が設けられており、設置面に連結された紐状部材が雨水貯留タンクの連結部に連結されて雨水貯留タンクが固定されていることを特徴とする請求項１から３のいずれか一項に記載の雨水貯留タンクの固定構造。
【発明の詳細な説明】
【技術分野】
【０００１】
本発明は、雨水貯留タンクの固定構造に関する。
【背景技術】
【０００２】
従来から、竪樋等から雨水を取水して内部に貯留する雨水貯留タンクが知られている。このものは、屋外に設置され、台座もしくは直接地面に設置される。屋外では、風雨に曝され、また路面を走る車等による振動等の影響を受けやすいこともあり、雨水貯留タンクが設置面からずれたり倒れたりする危険がある。そこで特許文献１に記載の雨水貯留タンクは、雨水貯留タンクの側面部にチェーン取り付け金具を設け、チェーンを介して設置面や建物外壁に雨水貯留タンクを連結して雨水貯留タンクの転倒を防止している。
【先行技術文献】
【特許文献】
【０００３】
【特許文献１】特開平９−３１６９３９号公報
【発明の概要】
【発明が解決しようとする課題】
【０００４】
しかしながら、特許文献１に記載の雨水貯留タンクは、側面部のチェーン取り付け金具にチェーンが取り付けられている以外は単に設置面に載置されるのみであり、雨水貯留タンクの底面部は設置面に固定されていない。このため位置ずれが生じうる。チェーンを取り付けることで位置ずれをある程度抑制できるが、全方位に対して位置ずれを均等に規制することは難しい。チェーン取り付け金具の数、その設置位置、及び、チェーンが連結される設置面や建物外壁の位置によってはチェーンの規制を受けず位置ずれが生じやすい方位がある。その方位に向かう位置ずれは大きくなりやすく、ひいては雨水貯留タンクが転倒する危険がある。
【０００５】
本発明は以上の通りの事情に鑑みてなされたものであり、雨水貯留タンクの位置ずれ、転倒を防止し、雨水貯留タンクを設置面に安定して固定できる雨水貯留タンクの固定構造を提供することを課題としている。
【課題を解決するための手段】
【０００６】
本発明は以下のことを特徴としている。
【０００７】
第１に、本発明は、雨水を貯留する雨水貯留タンクが固定部材で設置面に固定される固定構造である。固定部材は、雨水貯留タンク後面部に当接し雨水貯留タンクを後面側から支持する背板部と背板部の下端部に設けられ設置面に固着具で固定される固定部とから構成される側面視略Ｌ字形状の第１支持部を備えている。また、第１支持部の背板部から前方に延び前端部に立ち上がり部を形成し、雨水貯留タンクの底部を介して雨水貯留タンクの前面部を立ち上がり部で支持する側面視略Ｌ字形状の第２支持部も備えている。固定部材の第１支持部の背板部と第２支持部の立ち上がり部との間に雨水貯留タンクが配置されて雨水貯留タンクが保持されるとともに固定部材の第１支持部の固定部が固着具で設置面に固着されて、雨水貯留タンクが設置面に固定される。
【０００８】
第２に、上記第１の発明において、雨水貯留タンクの後面部に凹溝が形成されており、固定部材の第１支持部には、背面部に、雨水貯留タンクの凹溝に嵌め込まれる突条が形成されている。固定部材の第１支持部の背板部と第２支持部の立ち上がり部との間に雨水貯留タンクを配置した際には、第１支持部の突条が雨水貯留タンクの凹溝に嵌め込まれて雨水貯留タンクが保持される。
【０００９】
第３に、上記第１または第２の発明において、雨水貯留タンクの前面部に凹溝が形成されており、固定部材の第２支持部には、立ち上がり部の先端に、雨水貯留タンクの凹溝に引っ掛かる係止部が形成されている。固定部材の第１支持部の背板部と第２支持部の立ち上がり部との間に雨水貯留タンクを配置した際には、第２支持部の係止部が雨水貯留タンクの凹溝に引っ掛けられて雨水貯留タンクが保持される。
【００１０】
第４に、上記第１から第３のいずれかの発明において、雨水貯留タンクの後面部上部に紐状部材を連結する連結部が設けられており、設置面に連結された紐状部材が雨水貯留タンクの連結部に連結されて雨水貯留タンクが固定されている。
【発明の効果】
【００１１】
第１の発明によれば、固定部材の第１支持部の背板部と第２支持部の立ち上がり部との間に雨水貯留タンクが配置されて保持されるとともに固定部材の第１支持部の固定部が固着具で設置面に固着される。これにより雨水貯留タンクの底面部と設置面との間の位置ずれが抑制され、安定性が向上するので、雨水貯留タンクの転倒が防止される。
【００１２】
第２の発明によれば、固定部材の第１支持部の突条が雨水貯留タンクの後面部に形成された凹溝に嵌め込まれることにより、雨水貯留タンクを第１支持部でより確実に支持することができるので、雨水貯留タンクの安定性がさらに向上する。
【００１３】
第３の発明によれば、固定部材の第２支持部の係止部が雨水貯留タンクの前面部に形成された凹溝に引っ掛かることにより、雨水貯留タンクを第２支持部でより確実に支持することができるので、雨水貯留タンクの安定性がさらに向上する。
【００１４】
第４の発明によれば、雨水貯留タンクの後面部上部が紐状部材で設置面と連結されているので、縦長状の雨水貯留タンクであっても安定した設置が可能となり、雨水貯留タンクの転倒が防止される。
【図面の簡単な説明】
【００１５】
【図１】本発明の一例を示す雨水貯留タンクの固定構造の背面斜視図である。
【図２】図１の雨水貯留タンクの固定構造の正面斜視図である。
【図３】（ａ）図１の雨水貯留タンクの固定構造に用いられる固定部材の正面斜視図であり、（ｂ）は背面斜視図である。
【図４】図１の雨水貯留タンクの固定構造の概略説明図である。
【図５】図１の雨水貯留タンクの固定構造において連結部に紐状部材を連結させた実施形態を示す背面斜視図である。
【図６】雨水貯留タンクの設置状態を示した背面図である。
【発明を実施するための形態】
【００１６】
以下、図面を参照して本発明を詳細に説明する。図１は、本発明の一例を示す雨水貯留タンクの固定構造の背面斜視図であり、図２は、図１の雨水貯留タンクの固定構造の正面斜視図である。図３（ａ）は、図１の雨水貯留タンクの固定構造に用いられる固定部材の正面斜視図であり、図３（ｂ）は背面斜視図である。図４は、固定部材を用いた雨水貯留タンクの設置面への取り付けを説明するための図１の雨水貯留タンクの固定構造の概略説明図である。図５は、図１の雨水貯留タンクの固定構造において連結部に紐状部材を連結させた実施形態を示す背面斜視図である。
【００１７】
雨水貯留タンク１は、竪樋からの雨水を貯留するタンク本体２と、タンク本体２を支持する架台２０と、タンク本体２上部を覆う蓋体３０とを備えており、固定部材４０でコンクリート床面や地面等の設置面に設置される。
【００１８】
雨水貯留タンク１のタンク本体２、架台２０、蓋体３０および固定部材４０は、樹脂製であり、例えば、真空成形、圧空成形、プレス成形等の各種の方法による成形品として得られる。なお、固定部材４０は金属製とすることもできる。
【００１９】
タンク本体２は、横断面視で楕円形状を有する縦長状の有底筒状体であり、前面部１４ａ下部に横断面視半円形状の凹面が形成されている。この凹面の上部側には、取水口としてのＬ字状の蛇口３が、楕円形状の前面部よりも前方に突き出さないように、水平方向に突出して設けられている。蛇口３は、頂部に水平面内を回動自在とされたレバー４を備えており、レバー４の回動操作によって、雨水貯留タンク１内に貯留された雨水が蛇口３下端の吐出口から吐出されたり、雨水の吐出が停止されたりする。
【００２０】
タンク本体２の後面部１３ａ上部には、後面側からみて右側に雨水導入口６が設けられ、左側にオーバーフロー用排水口７が設けられている。雨水導入口６はホース等の管を介して住宅の雨水流入系に連通されており、住宅の雨水流入系からタンク本体２に雨水が流れ込むようになっている。オーバーフロー用排水口７はホース等の管を介して住宅の雨水排水系に連通されている。タンク本体２の容量を超える雨水が雨水流入系からタンク本体２に流入した場合にはその過剰分の雨水がオーバーフロー用排水口７から雨水排水系に排水されるようになっている。住宅の雨水流入系及び雨水排水系としては、例えば、竪樋が挙げられる。
【００２１】
また、タンク本体２の後面部１３ａ上部には、雨水導入口６とオーバーフロー用排水口７との間にＵ字ボルト等の連結部９が設けられている。図５に示すように、連結部９には、設置面に連結されたチェーンやワイヤ等の紐状部材１０が連結され、雨水貯留タンク１が前方に倒れないように保持、固定される。
【００２２】
紐状部材１０の連結部９への連結は、後述する固定部材４０を雨水貯留タンク１の下部に取り付けて設置面に固定した後に、以下の手順によって行われる。まず、紐状部材１０の一端をアンカーボルト等の固着具１１で設置面に固定する。次いで、紐状部材１０の他端を連結部９に通し、連結部９を基点にＶ字状に折り返し、他端を固着具１１で設置面に固定する。このとき、設置面から連結部９に至る左右の紐状部材１０の長さが均等になるように、また弛みが生じないように紐状部材１０が張られる。
【００２３】
架台２０は、タンク本体２の凹面に設けられた蛇口３の下方にじょうろやバケツ等の容器を配置して蛇口３から前記容器に直接給水することができるようにタンク本体２の下部に一体に接合して設置される。
【００２４】
架台２０は、タンク本体２を支持するタンク本体支持部と、その左右両側下部に離間して形成されている円筒形状の脚部２１とから構成されている。タンク本体支持部は、外形形状が平面視でタンク本体２に略一致する形状を有している。左右の脚部２１の対向する部分以外の周壁２２は、タンク本体２の外周面と同一面上もしくは略同一面上になるように形成されている。このため、屋外に設置した雨水貯留タンク１は、見栄えがよく建物になじみやすいすっきりした外観が実現される等、意匠性に優れ、建物との調和が図れるようになっている。また、架台２０およびタンク本体２の各接合面の外周縁部は湾曲してＲ形状とされており、架台２０とタンク本体２が一体に接合した状態においてその接合部の外周に、全周にわたって凹溝１２が形成されている。
【００２５】
蓋体３０は、タンク本体２の上部に一体に接合される。蓋体３０は、タンク本体２の上部を覆う平板状の天板３１と、天板３１周縁の断面視略半円形状の突設部３２と、突設部３２から垂下する周壁３３とから構成されている。天板３１の上面は、平坦面であり、例えば、植物や小物が載置できる。突設部３２の後部中央には切欠部３４が設けられており、天板３１に流下した雨水が切欠部３４から排水され、天板３１に雨水が溜まらない構造とされている。周壁３３は、タンク本体２の外周面と同一面上もしくは略同一面上になるように形成され、蓋体３０の外形形状がタンク本体２の外形形状と略一致するように形成されている。
【００２６】
固定部材４０は、雨水貯留タンク１の下部に取り付けられ、設置面に固定される。これにより雨水貯留タンク１は固定部材４０で保持され、設置面に固定される。
【００２７】
固定部材４０は、雨水貯留タンク１の後面部１３に設置される第１支持部４１と、雨水貯留タンク１の底部に設置される第２支持部５０とを備えている。第１支持部４１と第２支持部５０は別体とされている。
【００２８】
第１支持部４１は、雨水貯留タンク１の後面部１３に当接し雨水貯留タンク１を後面側から支持する平板状の背板部４２と、背板部４２の下端部から水平に延び設置面にアンカーボルト等の固着具４６で設置面に固定される平板状の固定部４５とを有する。背板部４２と固定部４５とは一体に形成され、側面視略Ｌ字形状を有している。
【００２９】
背板部４２は、幅広に形成され、当接面は平坦に形成されており、より広い領域で雨水貯留タンク１の後面部１３と面接触し、雨水貯留タンク１の安定した支持を可能にしている。背板部４２には、雨水貯留タンク１との当接面に、背板部４２の全幅にわたって突条４３が水平方向に形成されている。この突条４３は、雨水貯留タンク１の後面部１３が背板部４２に当接した際に雨水貯留タンク１の凹溝１２に嵌るように形成されており、雨水貯留タンク１の第１支持部４１への位置決めが容易になる。また、固定部材４０と雨水貯留タンク１との間に位置ずれが起こりにくくなり、より確実な連結が可能となる。
【００３０】
また、背板部４２の下部には、左右箇所に取付穴４９が前後に貫通して設けられており、後述するボルト５４ａ及びナット５４ｂ等で構成される固着具５４で第１支持部４１と第２支持部５０が連結、固定される。
【００３１】
固定部４５には、左右２箇所に、固着具４６の取付穴４７が上下に貫通して設けられている。固着具４６は取付穴４７の上方から差し込まれて打設され、設置面に固定部４５が固定される。
【００３２】
背板部４２は、両側端部が後方に折れ曲がって折り曲がり部４４が形成され、固定部４５も両側端部が上方に折れ曲がって折り曲がり部４８が形成されている。背板部４２の折り曲がり部４４と固定部４５の折り曲がり部４８とは連続して形成されている。このような折り曲がり部４４，４８は第１支持部材４１を補強し、強度を向上させる。これにより撓み変形等が生じにくくなり、より安定した雨水貯留タンク１の支持が可能となる。
【００３３】
第２支持部５０は、第１支持部４１の背板部４２から前方に水平に延び前端部に上方に突設する立ち上がり部５１を形成する左右一対のＬ字状片５２と、一対のＬ字状片５２を連結する連結片５３とから構成されており、側面視略Ｌ字形状を有する。
【００３４】
第２支持部５０は、第１支持部４１の背板部４２の雨水貯留タンク１との当接面側の下部に、連結片５３と背板部４２が対向して連結される。連結片５３には、第１支持部４１の背板部４２の取付穴４９に対応する左右２箇所に、取付穴５８が前後に貫通して設けられている。第２支持部５０の連結片５３は、取付穴５８，４９を通して差し込まれたボルト５４ａがナット５４ｂと螺結されることにより第１支持部４１の背板部４２に取り付けられ、これにより第２支持部５０が第１支持部４１に連結、固定される。
【００３５】
Ｌ字状片５２は、固定部材４０が雨水貯留タンク１の下部に取り付けられた状態では、Ｌ字状片５２の水平部分５５が架台２０の脚部２１間の隙間に配置され、立ち上がり部５１は架台２０の前面部１４ｂに当接される。一対のＬ字状片５２間の間隔は、架台２０の脚部２１間の間隔と略一致するように形成され、Ｌ字状片５２の水平部分５５は脚部２１の内側面側に隣接して配置される。
【００３６】
立ち上がり部５１は、架台２０の脚部２１の外形形状に合わせて周壁２２の周方向に角度をもって水平部分５５から上方に立ち上がり、脚部２１のやや内側面よりの位置で架台２０と当接される。立ち上がり部５１の先端は、内方に水平に折れ曲がり、雨水貯留タンク１の凹溝１２に引っ掛かる係止部５６が形成されている。
【００３７】
また、一対のＬ字状片５２間に水平片５７がＬ字状片５２の水平部分５５の中程の位置に架設されている。このような水平片５７は第２支持部５０を補強し、強度を向上させる。これにより撓み変形等が生じにくくなり、より安定した雨水貯留タンク１の支持が可能となる。
【００３８】
固定部材４０を用いた雨水貯留タンク１の設置面への取り付けは以下の手順によって行われる。
【００３９】
まず、固定部材４０の第１支持部４１の固定部４５を雨水貯留タンク１設置予定の設置面に当接させ、第１支持部４１を設置面に載置する。次いで、固定部４５の取付穴４７に固着具４６を上方から差し込み打設して固定部４５を設置面に取り付けて、第１支持部４１を設置面に固定する。次に、雨水貯留タンク１を設置面に配置し、後面部１３を第１支持部４１の背板部４２に当接させ、背板部４２の突条４３を雨水貯留タンク１の凹溝１２に嵌め込む。次に、固定部材４０の第２支持部５０を雨水貯留タンク１の前方の設置面に連結片５３が第１支持部４１の背板部４２と対向するように配置し、架台２０の脚部２１間の隙間に第２支持部５０を第１支持部４１に向けてスライドさせて差し込む。その際、第２支持部５０の立ち上がり部５１が架台２０の前面部１４ｂに当接し、立ち上がり部５１の係止部５６が雨水貯留タンク１の凹溝１２に嵌め込まれて引っ掛かるまで第２支持部５０を差し込むようにする。次いで、雨水貯留タンク１の前方から連結片５３の取付穴５８、第１支持部４１の背板部４２の取付穴４９にボルト５４ａを差し込み、背板部４２の後方からナット５４ｂで螺結して、第１支持部４１と第２支持部５０を連結、固定する。
【００４０】
第１支持部４１と第２支持部５０が連結、固定されると、雨水貯留タンク１は、第１支持部４１の背板部４２と第２支持部５０の立ち上がり部５１との間に挟持され、後面部１３が背板部４２で支持され、前面部１４が立ち上がり部５１で支持される。これにより雨水貯留タンク１は固定部材４０で安定に保持される。しかも、第１支持部４１の背板部４２の突条４３および第２支持部５０の立ち上がり部５１の係止部５６が雨水貯留タンク１の凹溝１２に嵌め込まれているので、その安定性は一層向上する。
【００４１】
このように固定部材４０の第１支持部４１が設置面に固定され、固定部材４０の第１支持部４１と第２支持部５０が連結、固定されて第１支持部４１の背板部４２と第２支持部５０の立ち上がり部５１との間に雨水貯留タンク１が挟持され、保持されている。これにより、雨水貯留タンク１の底面部と設置面との間の位置ずれが抑制され、安定性が向上し、雨水貯留タンク１の転倒が防止される。
【００４２】
図６に示すように、雨水貯留タンク１を固定部材４０で設置面７０に設置した後は、タンク本体２の雨水導入口６にはホース６３ａの一端が接続され、他端は竪樋６０の途中に設けられた雨水分岐部材６１の分岐部６２に接続される。雨水分岐部材６１は、降雨時、竪樋６０内を流下する雨水の一部を分岐部６２から竪樋６０の外部に流出させるものであり、雨水は、雨水分岐部材６１の分岐部６２に接続されたホース６３ａを介してタンク本体２に自然流入し、貯留される。タンク本体２のオーバーフロー用排水口７にはホース６３ｂの一端が接続され、他端は竪樋６０の雨水分岐部材６１の下流に設けられる雨水合流部材６４の合流部６５に接続される。雨水合流部材６４は、竪樋６０外部の雨水を竪樋６０内を流下する雨水に合流させるものである。タンク本体２の容量を超える雨水がタンク本体２に導入されると、その過剰分の雨水がオーバーフロー用排水口７に接続されたホース６３ｂを介して雨水合流部材６４の合流部６５から竪樋６０に排水される。タンク本体２に貯留された雨水は、レバーを開いて開栓することにより蛇口から自然流出し、所望量の雨水をじょうろやバケツ等の容器に取り出すことができる。必要に応じて蛇口にホースを取り付けてもよく、この場合、雨水貯留タンク１から離れた庭への散水や洗車に便利である。
【００４３】
以上、実施形態に基づき本発明を説明したが、本発明は上記の実施形態に何ら限定されるものではなく、その要旨を逸脱しない範囲内において各種の変更が可能である。例えば、上記実施形態では、架台とタンク本体の接合部の外周に形成した凹溝に、固定部材の第１支持部の背板部に形成した突条や、第２支持部の立ち上がり部の係止部を引っ掛けるようにした例について説明したがこれに限定されるものではない。タンク本体や架台の外周面に凹溝を形成し、この凹溝に突条や係止部を引っ掛けるようにしてもよい。また、突条および係止部を引っ掛ける凹溝は、各々、別個に形成されたものであってもよい。
【符号の説明】
【００４４】
１  雨水貯留タンク
２  タンク本体
９  連結部
１０  紐状部材
１１  固着具
１２  凹溝
１３  後面部
１４  前面部
４０  固定部材
４１  第１支持部
４２  背板部
４３  突条
４５  固定部
５０  第２支持部
５１  立ち上がり部
５６  係止部
７０  設置面
【図１】
0005462659.tif 000002
【図２】
0005462659.tif 000003
【図３】
0005462659.tif 000004
【図４】
0005462659.tif 000005
【図５】
0005462659.tif 000006
【図６】
0005462659.tif 000007